(57)【要約】【課題】より単純な形状で、且つ、部品点数の少ない上下方向にコンパクトな脚部継手を提供する。【解決手段】胴部２３は、内径が排水立て管系統１１の端部２７から排水横主管１９側の端部３１まで排水横主管１９と同じとされており、排水立て管系統１１側の端部２７は排水立て管系統１１より内径が大きく、該端部２７は曲がり部２５の円弧形終端位置であり、排水立て管系統１１の下端部１７が挿入される上部受け口４３が直接連続して一体形成されており、胴部２３の排水立て管系統１１側の端部２７と上部受け口４３との位置関係は、上部受け口４３の軸心Ｃ１が排水立て管系統１１側の端部２７の軸心Ｃ２より曲がり部２５の円弧形で見て外寄り位置であり、且つ、上部受け口４３に挿入された排水立て管系統１１の下端部１７の内壁の延長線Ｂと胴部２３の内壁との間に全周にわたって間隙Ｇが形成される。【選択図】図８
2013238011.tif 000002
【特許請求の範囲】
【請求項１】
複数層を有する建物の排水管設備において、各層を貫いて配管された排水立て管系統の下端部と、最下層の床スラブの下にて横方向に配管された前記排水立て管系統よりも大径の排水横主管の上流側の端部とを接続する脚部継手であって、
前記排水立て管系統を流下する排水を横方向へ案内することのできる円弧形の曲がり部を有する胴部を備え、
前記胴部の内径は、前記排水立て管系統側の端部から前記排水横主管側の端部まで同径とされ、且つ、該内径は前記排水立て管系統の内径より大きく、前記排水横主管の内径と同じとされており、
前記胴部の前記排水横主管側の端部は、前記排水横主管と同軸心で接続されるようになっており、
前記胴部の前記排水立て管系統側の端部は、前記曲がり部の円弧形終端位置であり、前記排水立て管系統の下端部が挿入される上部受け口が直接連続して一体形成されており、
前記胴部の前記排水立て管系統側の端部と前記上部受け口との位置関係は、前記上部受け口の軸心が前記排水立て管系統側の端部の軸心より前記曲がり部の円弧形で見て外寄り位置であり、且つ、前記上部受け口に挿入された前記排水立て管系統の下端部の内壁の延長線と前記胴部の内壁との間に全周にわたって間隙が形成される位置であることを特徴とする、脚部継手。
【発明の詳細な説明】
【技術分野】
【０００１】
本発明は、複数層を有する建物の排水管設備に用いられる脚部継手に関する。
【背景技術】
【０００２】
高層マンション等の複数層を有する建物の排水管設備では、各層を貫いて配管された排水立て管系統に各層の排水を合わせて流下させ、最下層の床スラブの下にて横方向に配管された排水横主管で屋外へ導く。そこで、排水立て管系統の下端部を排水横主管の上流側の端部に接続するために、縦方向から横方向へと円弧状に曲がった脚部継手が用いられている。かかる排水管設備では、一般に、排水立て管系統を流下した排水が、脚部継手内で急激に方向転換させられて跳ねることで排水横主管を閉塞するのを防ぐために、排水立て管系統よりも径の大きい排水横主管が配管される。
【０００３】
ところで、最下層の床スラブ下の空間が狭い場合や、排水横主管が長い場合などは、排水横主管の勾配を確保するために、床スラブ下の限られた空間内において、排水横主管の上流側の端部をできるだけ高い位置に配管しなければならない。そのため、より高い位置で排水横主管を接続可能な上下方向にコンパクトな脚部継手が必要とされている。上下方向にコンパクト化することを目的とした脚部継手としては、例えば、特許文献１の脚部継手がある。図１１に示されるように、特許文献１の脚部継手１０１は、拡径しながら円弧状に９０°曲がった曲管部１０３を有する。その曲管部１０３のより小径の端部１０５は、一体形成された受け口１０５ｕを備え、該端部１０５と同径の排水立て管１１１が受け口１０５ｕに挿入されることで互いに同軸心で接続される。他方、より大径の端部１０７には、該端部１０７と同径であり排水立て管１１１よりも大径の排水横主管１１３が同軸心で接続される。この種の脚部継手１０１においては、曲管部１０３の曲がりが緩やかであれば、排水立て管１１１の内壁に沿って流下してきた排水が、曲管部１０３の内壁を伝って流れる。しかし、曲管部１０３の曲がりを急にして上下方向にコンパクト化すると、流下してきた排水が、曲管部１０３の円弧形の外寄り位置ではその内壁を伝って流れるが（図１１及び図１２に模式的に示される排水流Ｗ１、Ｗ２参照）、円弧形の内側ではその内壁の急カーブに追従しきれず、内壁から離れて落下し、カーテン状の水膜Ｗｆ（図１１）を形成して曲管部１０３内を閉塞する問題を生じる。そこで、特許文献１の脚部継手１０１では、曲管部１０３の円弧形の内側において内壁面に羽根状リブ１０９を突設し、その羽根状リブ１０９で水膜Ｗｆを落下方向に沿って分岐させて空気の通り道を形成することで、水膜Ｗｆによる曲管部１０３の閉塞を防いでいる。しかしながら、曲管部１０３に羽根状リブ１０９のような突起を一体形成すると、管の内部形状が複雑になり、製造しにくくなる。
【０００４】
これに対し、特許文献２には、突起のない脚部継手本体の排水立て管を接続する側の端部にアダプタを装着して、立て管受け口と突起とを後付けする技術が開示されている。かかる技術によれば、脚部継手本体の内部形状は単純でありながら、排水立て管を流下してくる排水を突起で分岐させることができる。なお、特許文献２では、脚部継手本体は、より径の大きい排水横主管の管径に合わせて全体を通じて均一な管径で円弧状に形成されており、単純形状とされている。そのため、排水立て管を接続する側の端部は、排水立て管よりも大径となっている。この端部にアダプタが装着されることで、排水立て管を接続する小径の受け口が、この脚部継手の円弧形で見て外寄りの位置に偏って設けられ、且つ、突起が、円弧形で見て内側位置に配置されている。
【先行技術文献】
【特許文献】
【０００５】
【特許文献１】特開２００９−１４４４８０号公報
【特許文献２】特開２００２−２０１６８９号公報
【発明の概要】
【発明が解決しようとする課題】
【０００６】
しかし、特許文献２の脚部継手では、脚部継手本体の形状を単純にすることができる反面、別体のアダプタを要することから、部品点数が増加する問題がある。そこで、本発明は、上下方向にコンパクトにしても排水により管路が閉塞されにくい脚部継手を、より単純な形状で、且つ、部品点数の少ない構成で実現することを目的とした。
【課題を解決するための手段】
【０００７】
上記課題を解決するために本発明は次の手段を採用する。
本発明は、複数層を有する建物の排水管設備において、各層を貫いて配管された排水立て管系統の下端部と、最下層の床スラブの下にて横方向に配管された前記排水立て管系統よりも大径の排水横主管の上流側の端部とを接続する脚部継手であって、前記排水立て管系統を流下する排水を横方向へ案内することのできる円弧形の曲がり部を有する胴部を備え、前記胴部の内径は、前記排水立て管系統側の端部から前記排水横主管側の端部まで同径とされ、且つ、該内径は前記排水立て管系統の内径より大きく、前記排水横主管の内径と同じとされており、前記胴部の前記排水横主管側の端部は、前記排水横主管と同軸心で接続されるようになっており、前記胴部の前記排水立て管系統側の端部は、前記曲がり部の円弧形終端位置であり、前記排水立て管系統の下端部が挿入される上部受け口が直接連続して一体形成されており、前記胴部の前記排水立て管系統側の端部と前記上部受け口との位置関係は、前記上部受け口の軸心が前記排水立て管系統側の端部の軸心より前記曲がり部の円弧形で見て外寄り位置であり、且つ、前記上部受け口に挿入された前記排水立て管系統の下端部の内壁の延長線と前記胴部の内壁との間に全周にわたって間隙が形成される位置であることを特徴とする。
【０００８】
本発明の脚部継手によれば、胴部の内径は、排水立て管系統側の端部から排水横主管側の端部まで同径とされており、その内径は排水横主管の内径と同じとされている。そのため、胴部の排水立て管系統側の端部は、排水立て管系統よりも大径である。胴部のこの排水立て管系統よりも大径の端部には、排水立て管系統の下端部が挿入される上部受け口が一体形成されている。そして、上部受け口は、該上部受け口に挿入された排水立て管系統の下端部の内壁の延長線と胴部の内壁との間に全周にわたって間隙が形成されるように配置され、胴部の端部と直接連続して設けられている。ここで、直接連続しているとは、漸次拡径するテーパ形状等が介在することなく、上部受け口と胴部の端部とが軸方向に並んで配置されていることを意味している。そのため、排水立て管系統の下端部の内壁と胴部の内壁との間には全周にわたって段差が形成され、排水立て管系統の内壁に沿って管状の流れを形成しながら流下してきた排水が、少なくとも胴部に流入する際には、その全周が胴部の内壁と離れて落下する。視点を変えれば、排水立て管系統から脚部継手の胴部に排水が流下する際に、少なくとも胴部の排水立て管系統側の端部近傍において流下する排水流の全周において周囲に空気層が形成される。このとき、排水流は、その全周が水膜を形成しようとするが、水膜は均一な厚みで形成されるわけではなく、水膜が形成される範囲が全周と広範囲にわたると、水膜の疎な部分に自然と切れ目が生じる。その結果、その水膜の切れ目を通じて、周囲の空気層との間で空気が行き来することができ、排水流により管が閉塞されるのを防ぐことができる。このように、本発明の脚部継手は、径の均一な胴部に上部受け口が一体形成されており、単純形状で、且つ、部品点数の少ない構成とされており、突起を設けなくても排水流による管の閉塞を防ぐことができる。
【０００９】
更に、本発明の脚部継手は、胴部の排水立て管系統側の端部が曲がり部の円弧形終端位置とされており、上下方向にコンパクトにしやすい。そして、曲がり部の曲率を小さくして上下方向にコンパクトしても、上部受け口の軸心が排水立て管系統側の端部の軸心より曲がり部の円弧形で見て外寄り位置に偏っているため、曲がり部の排水横主管に対する傾きの大きい位置に排水を落下させ、横方向へ推進することができる。
【発明の効果】
【００１０】
本発明によれば、排水立て管系統の下端部が挿入される上部受け口を設けるために別体部品を要せず、少ない部品点数、且つより単純な形状で、上下方向にコンパクトにしても排水により管路が閉塞されにくい脚部継手を構成することができる。
【図面の簡単な説明】
【００１１】
【図１】本発明の実施形態１の脚部継手の配管例を示す排水管設備の側面図である。
【図２】本発明の実施形態１の脚部継手の斜視図である。
【図３】図２に示される脚部継手の正面図である。
【図４】図２に示される脚部継手の側面図である。
【図５】図２に示される脚部継手の背面図である。
【図６】図２に示される脚部継手の平面図である。
【図７】（Ａ）は図１に示される排水管設備のVII−VII断面図であり、（Ｂ）は（Ａ）の断面図において排水の流れと空気の流れを模式的に示す図である。
【図８】（Ａ）は図７に示される排水管設備のVIII−VIII断面図であり、（Ｂ）は（Ａ）の断面図において排水の流れを模式的に示す図である。
【図９】図１に示される排水管設備のIX−IX断面図であり、排水の流れ模式的に示す図である。
【図１０】図１に示される排水管設備の変更例を示す図である。
【図１１】従来の脚部継手を排水管設備に配管した状態で示す断面図である。
【図１２】図１１に示される脚部継手のXII−XII断面図である。
【発明を実施するための形態】
【００１２】
（実施形態１）
以下、図面を参照しながら本発明の一実施形態について説明する。図１には、排水管設備Ｈ１において、本実施形態の脚部継手２１の配管部分が示されている。この排水管設備Ｈ１は、複数層を有する建物の排水管設備である。排水管設備Ｈ１は、建物の各層を貫いて配管された排水立て管系統１１と、最下層Ａの床スラブＳの下にて横方向に配管された排水横主管１９とを備え、排水立て管系統１１の下端部１７と、排水横主管１９の上流側の端部１９ａとが、脚部継手２１を介して接続されている。
【００１３】
排水立て管系統１１は、各層に配管された排水立て管１３と、各層を区切る床スラブＳに貫通して配管された立て管継手１５とからなる。立て管継手１５は、胴回りに横枝管受け口１５ａを有し、床スラブＳの上側で排水器具（図示省略）からの排水を横方向へ導く排水横枝管（図示省略）が接続されている。立て管継手１５は、横枝管受け口１５ａの設けられた胴部１５ｂが排水立て管１３より大径であり、下方に向かって縮径するテーパ管部１５ｃを介して下階の排水立て管１３と接続される直管状の下部直管部１５ｄが設けられている。また、立て管継手１５の内壁には、流下する排水を旋回させることのできるガイド（図示省略）されている。このため、排水立て管系統１１は、各層の排水器具からの排水を合流させ、その排水を管内壁に沿って旋回させて管軸に空気芯を形成しながら流下させることができる。この排水立て管系統１１は、最下層Ａの排水も上階の排水と合流させる構成とされており、最下層Ａの床スラブＳを貫通して立て管継手１５が配管されている。この立て管継手１５の下部直管部１５ｄが床スラブＳの下で脚部継手２１と接続され、該脚部継手２１を介して排水横主管１９と接続されている。
【００１４】
排水横主管１９は、排水立て管系統１１（排水立て管１３）よりも大径であり、排水を横方向に流すことが可能な勾配が付与されて最下層Ａの床スラブＳの下において横方向に配管され、排水を建物外に導く。
【００１５】
脚部継手２１は、曲がり部２５を有する胴部２３を備える。曲がり部２５は、円弧状に９０°曲がった排水流路を形成して、排水立て管系統１１を流下する排水の縦方向の流れを横方向に変更可能とされている。胴部２３は、曲がり部２５の排水立て管系統１１側の円弧形終端位置が、この胴部２３の排水立て管系統１１側の端部２７をも構成している。一方、曲がり部２５の排水横主管１９側には、直管部２９が延設され、この直管部２９の終端位置が胴部２３の排水横主管１９側の端部３１を構成している。なお、曲がり部２５の両側部には、蓋付き掃除口２６、２６が設けられている。
【００１６】
胴部２３の内径は、排水立て管系統１１側の端部２７から排水横主管１９側の端部３１まで均一であり、その内径は、排水横主管１９の内径と同じである。排水横主管１９側の端部３１には、横主管接続部３３が設けられており、胴部２３と排水横主管１９とが同軸心で接続されるようになっている。本実施形態において、横主管接続部３３は、所謂メカニカル接続の形態をとる。すなわち、横主管接続部３３は、フランジ部３７を有する横主管受け口３５を胴部２３と一体で備えるとともに、リング状の押さえフランジ部３９、環状シール部材４１及び両フランジ部３７、３９を連結するボルト・ナット３８を備える。この横主管接続部３３によれば、排水横主管１９の上流側の端部１９ａに環状シール部材４１と押さえフランジ部３９とを外嵌し、両フランジ部３７、３９の間に環状シール部材４１を配した状態で、ボルト・ナット３８を締付けて両フランジ部３７、３９を接近させることにより、径内方に環状シール部材４１を変形させて排水横主管１９の外周面に圧接させることで、脚部継手２１と排水横主管１９とが水密に接続される。
【００１７】
一方、胴部２３の排水立て管系統１１側の端部２７は、排水立て管系統１１よりも大径であり、排水立て管系統１１の下端部１７（立て管継手１５の下部直管部１５ｄ）を接続可能とする、この端部２７よりも小径の上部受け口４３が、間にテーパ状の部分や直管状の部分などを介することなく、軸方向に直接連続して一体形成されている。なお、胴部２３の排水立て管系統１１側の端部２７において、上部受け口４３が形成されている部分以外は、水平面２７ａで閉じられている。
【００１８】
上部受け口４３は、図８（Ａ）等に示されるように、その内径が排水立て管系統１１の下端部１７の外径よりもひと回り内径の大きな円筒状であり、その奥部には、上方から挿入された排水立て管系統１１の下端部１７がそれ以上進入するのを規制することができる受け部４５が形成されている。受け部４５は、排水立て管系統１１の下端部１７の通過は許容しないが、排水立て管系統１１を流下する排水流には干渉しない程度に管内方に張り出している。受け部４５の上には、断面矩形の弾性体４７が載置されている。この弾性体４７も、受け部４５と同様に、排水立て管系統１１の下端部１７の通過は許容しないが、排水立て管系統１１を流下する排水流には干渉しないものである。排水立て管系統１１の下端部１７は、弾性体４７を介して受け部４５に当たった状態で上部受け口４３に挿入接続されている。上部受け口４３の排水立て管系統１１の下端部１７が挿入される開口付近の内周面には、周方向に沿って溝４３ｍが形成されている。この溝４３ｍには、Ｏリング４９が管内方にはみ出すように嵌合されて保持されており、排水立て管系統１１の下端部１７の外周面に当接することにより、排水立て管系統１１と脚部継手２１とが水密に接続される。
【００１９】
上部受け口４３は、この上部受け口４３に挿入された排水立て管系統１１の下端部１７の内壁の延長線Ｂと、胴部２３の内壁との間に全周にわたって間隙Ｇが形成されるように、曲がり部２５の円弧形で見て外寄り位置に配置されている。つまり、上部受け口４３は、その軸心Ｃ１が胴部２３の軸心Ｃ２に対して曲がり部２５の円弧形で見て外寄り位置にずれているが、排水立て管系統１１の下端部１７の内壁の延長線Ｂが、胴部２３の前記円弧形の外寄りの内壁２３ａとは一致せずに管内方位置に配置されるように形成されている。
【００２０】
この脚部継手２１は、図１に示されるように、支持具６１により、最下層Ａの床スラブＳに吊り下げられた状態で支持されている。そのために、胴部２３には、曲がり部２５の外壁に、排水立て管系統１１の軸心と一致する位置に下方に延びて支持突起５１が設けられている。支持突起５１は、根元に下向きの水平面を形成する台座部５３備え、その台座部５３の水平面から、軸方向に直交する断面が十字形状の挿入部５５が下向きに延設されている。支持具６１は、図１で見て紙面に対して直交する方向に長尺な支持板６３と、この支持板６３の長手方向の両端部を床スラブＳに吊り下げて支持する棒状の吊り下げ部材６５一対とを備えている。支持板６３の上面中央には、円筒状の支持筒部６３ａが支持突起５１と同軸で設けられている。この支持筒部６３ａの内部には、厚底の有底円筒状の防振ゴム６７が収容されている。この防振ゴム６７に脚部継手２１の挿入部５５を挿入した状態で、脚部継手２１が支持板６３に乗せ掛けられている。このように排水立て管系統１１の直下が防振ゴム６７を介して支持されている支持構造によれば、排水立て管系統１１を流下する排水が脚部継手２１に衝突して生じる振動を、効率よく防振ゴム６７で吸収することができ、床スラブＳへの振動の伝播を低減することができる。
【００２１】
次に、この脚部継手２１に排水が流入した際の作用機能について、図７（Ｂ）、図８（Ｂ）及び図９を参照しながら説明する。なお、これらの断面図では、流れる排水Ｗをも切断した状態として示し、排水Ｗの流れを模式的に表している。
図９に示されるように、排水立て管系統１１を流下する排水Ｗは、排水立て管系統１１の内壁を伝って、管軸に空気芯ＡＣを形成しながら管状の流れを形成する。そして、図７（Ｂ）、図８（Ｂ）に示されるように、排水立て管系統１１の下端部１７の内壁と、脚部継手２１の胴部２３（曲がり部２５）の内壁とが、全周にわたって相互間に段差を形成して配置されているため、排水立て管系統１１の内壁を伝って管状の流れを形成しながら流下してきた排水Ｗが脚部継手２１の胴部２３に流入する際には、その全周が胴部２３から離れて水膜Ｗｆを形成しながら落下する。その際、排水Ｗは、排水立て管系統１１の下端部１７の先端からいきなり解放され、広がりながら落下する。このとき、排水Ｗは、管状の流れの全周にわたって水膜Ｗｆを形成し得るが、その水膜Ｗｆの形成範囲が広いため、水膜Ｗｆの疎な部分に切れ目Ｒが生じる。ここで、水膜Ｗｆの周囲には、その全周にわたって胴部２３の内壁との間に空気層ＡＬが形成されており、切れ目Ｒがどの位置に形成されても、切れ目Ｒから空気が流通することできる。したがって、脚部継手２１の内部には、縦方向と横方向に連通した通気帯が形成され、排水Ｗにより管路が閉塞されることが抑制される。各図には、その際の空気の流れを白抜き矢印で模式的に示した。排水横主管１９（図示省略）側の空気が、排水Ｗの流れに反して排水立て管系統１１に形成された空気芯ＡＣに抜けることで、脚部継手２１内での急激な圧力変動が抑制される。そして、図８（Ｂ）に示されるように、排水立て管系統１１は、胴部２３に対して曲がり部２５の円弧形で見て外寄りの位置に接続されているため、曲がり部２５の円弧形で見て外寄り位置では、やがて排水Ｗがその円弧径のカーブを伝って流れる。それにより、排水は横方向へ推進され、スムーズに流れることができる。
【００２２】
このような脚部継手２１によれば、曲がり部２５の円弧形の曲率の大小に関わらず、排水により管路が閉塞されにくい。したがって、曲がり部２５の円弧形の曲率を小さくして脚部継手２１を上下方向にコンパクトにすることが可能である。
【００２３】
（その他の実施形態）
本発明の脚部継手は、上記実施形態に限定されるものではなく、その他種々の変更例が考えられる。例えば、横主管接続部３３の構成は、胴部２３に直管状に延設し、その直管状の部分を、排水横主管１９の上流側の端部１９ａに設けられた受け口に挿入して、メカニカル接続する構成としてもよい。また、掃除口２６は必要に応じて設ければよい。
【００２４】
また、脚部継手２１の配管において、立て管継手１５の下端部が直管状でなく、脚部継手２１の上部受け口４３に直接接続できない場合は、図１０に示されるように、立て管継手１５の下端に短い排水立て管７１を接続し、この短い排水立て管７１を脚部継手２１の上部受け口４３に挿入して接続すればよい。図１０では、立て管継手１５の下端部に短い排水立て管７１がメカニカル接続構成１５ｅを介して接続されており、この短い排水立て管７１が脚部継手２１に接続されている配管例が示されている。
【符号の説明】
【００２５】
１１   排水立て管系統
１９   排水横主管
２１   脚部継手
２３   胴部
２５   曲がり部
４３   上部受け口
Ｂ     排水立て管系統の下端部の内壁の延長線Ｂ
Ｇ     間隙
Ｗ     排水
Ｗｆ   水膜
Ｒ     （水膜の）切れ目
【図１】
2013238011.tif 000003
【図２】
2013238011.tif 000004
【図３】
2013238011.tif 000005
【図４】
2013238011.tif 000006
【図５】
2013238011.tif 000007
【図６】
2013238011.tif 000008
【図７】
2013238011.tif 000009
【図８】
2013238011.tif 000010
【図９】
2013238011.tif 000011
【図１０】
2013238011.tif 000012
【図１１】
2013238011.tif 000013
【図１２】
2013238011.tif 000014